(57)【要約】【課題】通帳に音声出力部を備える制御素子モジュールを搭載し、取引履歴情報を音声によって出力することができるようにして、視力の弱い利用者であっても通帳に記帳された金融取引の結果や履歴を容易に確認することができるようにする。【解決手段】取引履歴情報を格納する制御素子部、前記取引履歴情報の音声案内を行う音声出力部、前記取引履歴情報の通信を行う通信部及び電源部を備える制御素子モジュールと、前記電源部に充電するための充電部と、圧力センサスイッチとを有する。【選択図】          図１
2004185333.tif 000002
【特許請求の範囲】
【請求項１】
（ａ）取引履歴情報を格納する制御素子部、前記取引履歴情報の音声案内を行う音声出力部、前記取引履歴情報の通信を行う通信部及び電源部を備える制御素子モジュールと、
（ｂ）前記電源部に充電するための充電部と、
（ｃ）圧力センサスイッチとを有することを特徴とする通帳。
【請求項２】
前記圧力センサスイッチは紙又は樹脂によって通帳本体に挟み込まれ、突起を備える請求項１に記載の通帳。
【請求項３】
前記電源部は、前記通帳が自動取引装置に挿入されている時に充電部を介して前記自動取引装置によって充電される請求項１又は２に記載の通帳。
【請求項４】
前記圧力センサスイッチは複数であり、前記制御素子モジュールは押圧された前記圧力センサスイッチの組合せに従った所定の順番で前記取引履歴情報の音声案内を行う請求項１〜３のいずれか１項に記載の通帳。
【請求項５】
前記圧力センサスイッチは複数であり、前記制御素子モジュールは押圧された前記圧力センサスイッチの組合せに従った所定の音量で前記取引履歴情報の音声案内を行う請求項１〜３のいずれか１項に記載の通帳。
【請求項６】
（ａ）取引履歴情報を格納する制御素子部、前記取引履歴情報の音声案内を行う音声出力部、前記取引履歴情報の通信を行う通信部及び電源部を備える制御素子モジュールと、前記電源部に充電するための充電部と、圧力センサスイッチとを有する通帳を取り扱い、
（ｂ）該通帳に記帳するとともに、前記制御素子モジュールと前記取引履歴情報の通信を行うことを特徴とする通帳を取り扱う自動取引装置。
【請求項７】
音声出力手段を有し、前記通帳の取扱に関する音声案内を行う請求項６に記載の通帳を取り扱う自動取引装置。
【発明の詳細な説明】
【０００１】
【発明の属する技術分野】
本発明は、通帳及び通帳を取り扱う自動取引装置に関するものである。
【０００２】
【従来の技術】
従来、銀行、信用金庫、郵便局、消費者金融会社等の金融機関においては、利用者が金融機関に新規に取引を申し込むと、口座が開設されて通帳が交付される。そして、利用者は振替、振込、入金、出金等の金融取引の度に取引履歴を取引明細として通帳に記帳し、その内容を確認するようになっている。この場合、前記通帳には、該通帳を発行した発行金融機関名、発行支店名、利用者の氏名、印、サイン等の情報が印刷されている。
【０００３】
さらに、前記通帳の表表紙又は裏表紙には、各金融機関のオリジナルの図柄とともに、口座番号、暗証番号等が格納された磁気ストライプやＩＣチップが付与されている（特許文献１参照。）。そして、利用者がＣＤ（Ｃａｓｈ  Ｄｉｓｐｅｎｓｅｒ：現金自動支払機）、ＡＴＭ（Ａｕｔｏｍａｔｉｃ  Ｔｅｌｌｅｒ  Ｍａｃｈｉｎｅ：現金自動預払機）、通帳記帳機等の自動取引装置を使用して、入金、出金、振込、通帳記帳等の金融取引を行う場合に、前記通帳を前記自動取引装置の通帳挿入口から挿入すると、前記磁気ストライプやＩＣチップに格納された情報、暗証番号等が自動取引装置によって読み取られ、前記利用者の取引明細が記帳される。これにより、前記利用者は、自己の行った金融取引の結果や履歴を容易に確認することができる。
【０００４】
【特許文献１】
特開２００２−２１５４号公報
【０００５】
【発明が解決しようとする課題】
しかしながら、前記従来の通帳の記帳においては、利用者が健常者であることを前提とした印刷がなされるため、前記利用者が視覚に障害を有する者や老人のように視力の弱い者である場合、記帳された金融取引の結果や履歴を確認することが困難であった。そのため、視力の弱い利用者は、付添いの人や金融機関の職員に記帳された内容を読み上げてもらい、金融取引の結果や履歴に関する情報としての取引履歴情報を確認する外なかった。
【０００６】
本発明は、前記従来の通帳の問題点を解決して、通帳に音声出力部を備える制御素子モジュールを搭載し、取引履歴情報を音声によって出力することができるようにして、視力の弱い利用者であっても通帳に記帳された金融取引の結果や履歴を容易に確認することができる通帳及び通帳を取り扱う自動取引装置を提供することを目的とする。
【０００７】
【課題を解決するための手段】
そのために、本発明の通帳においては、取引履歴情報を格納する制御素子部、前記取引履歴情報の音声案内を行う音声出力部、前記取引履歴情報の通信を行う通信部及び電源部を備える制御素子モジュールと、前記電源部に充電するための充電部と、圧力センサスイッチとを有する。
【０００８】
本発明の他の通帳においては、さらに、前記圧力センサスイッチは紙又は樹脂によって通帳本体に挟み込まれ、突起を備える。
【０００９】
本発明の更に他の通帳においては、さらに、前記電源部は、前記通帳が自動取引装置に挿入されている時に充電部を介して前記自動取引装置によって充電される。
【００１０】
本発明の更に他の通帳においては、さらに、前記圧力センサスイッチは複数であり、前記制御素子モジュールは押圧された前記圧力センサスイッチの組合せに従った所定の順番で前記取引履歴情報の音声案内を行う。
【００１１】
本発明の更に他の通帳においては、さらに、前記圧力センサスイッチは複数であり、前記制御素子モジュールは押圧された前記圧力センサスイッチの組合せに従った所定の音量で前記取引履歴情報の音声案内を行う。
【００１２】
本発明の自動取引装置においては、取引履歴情報を格納する制御素子部、前記取引履歴情報の音声案内を行う音声出力部、前記取引履歴情報の通信を行う通信部及び電源部を備える制御素子モジュールと、前記電源部に充電するための充電部と、圧力センサスイッチとを有する通帳を取り扱い、該通帳に記帳するとともに、前記制御素子モジュールと前記取引履歴情報の通信を行う。
【００１３】
本発明の他の自動取引装置においては、音声出力手段を有し、前記通帳の取扱に関する音声案内を行う請求項６に記載の通帳を取り扱う。
【００１４】
【発明の実施の形態】
以下、本発明の実施の形態について図面を参照しながら詳細に説明する。
【００１５】
図１は本発明の実施の形態における預貯金通帳の概略図、図２は本発明の実施の形態における預貯金通帳の取引履歴結果を示す図、図３は本発明の実施の形態におけるＩＣチップの構成を示すブロック図である。
【００１６】
図１において、１１は多数枚の紙等を重ねた冊子状になっている通帳としての預貯金通帳であり、銀行、信用金庫、郵便局、消費者金融会社等の金融機関が利用者に対して発行したものである。なお、該利用者は、前記金融機関に自己の口座を開設し、振替、振込、入金、出金、送金、定期性預金設定等の金融取引を行う者である。そして、前記預貯金通帳１１には、前記口座を使用して利用者が行った金融取引の結果や履歴が記帳される。また、前記預貯金通帳１１には、通常、通帳を発行した発行金融機関名、発行支店名、利用者の氏名、印、サイン等の情報が印刷されている。さらに、前記預貯金通帳１１の表表紙又は裏表紙には磁気ストライプ１２が貼（は）り付けられている。該磁気ストライプ１２には、発行金融機関名、発行支店名、利用者の氏名、口座番号、暗証番号等の重要な情報が格納されている。
【００１７】
また、前記預貯金通帳１１の通帳本体としての表表紙又は裏表紙には無線通信可能な制御素子モジュールとしてのＩＣチップモジュール１３が埋め込まれている。該ＩＣチップモジュール１３は、預貯金通帳１１に記帳される金融取引の結果や履歴に関する情報としての取引履歴情報を格納する記憶手段を備え、前記取引履歴情報を読み出したり、書き込んだりすることができるようになっている。なお、前記取引履歴情報は、後述される自動取引装置や、金融機関の窓口に配設された窓口端末において更新される。
【００１８】
そして、前記預貯金通帳１１には、前記利用者の行った金融取引の結果や履歴が記帳される。この場合、図２に示されるように、年月日、適用、残高、取引金額、その他等の欄が設定され、前記利用者が行った金融取引毎に、該金融取引に関する年月日、適用、残高、取引金額等が、各欄内に時系列に印刷される。
【００１９】
また、前記ＩＣチップモジュール１３は、図３に示されるように、制御素子部としてのＩＣチップ部１４、音声出力部としてのスピーカ部１５、通信部としてのアンテナ部１６、及び、ＩＣチップモジュール１３の電源部としてのバッテリ部１７を有する。ここで、前記ＩＣチップ部１４は、ＣＰＵ、ＭＰＵ等の演算手段、メモリから成る記憶手段、前記スピーカ部１５、アンテナ部１６、バッテリ部１７等の周辺機器とアクセス可能なＩ／Ｏ（イン−アウト）Ｉ／Ｆ（インターフェイス）部を備える。なお、前記記憶手段は、前記取引履歴情報を格納するのに十分な記録容量を有する。この場合、前記取引履歴は、利用者が行った金融取引毎に、該金融取引に関する年月日、適用、残高、取引金額等が、前記預貯金通帳１１に印刷されるのと同様に、前記記憶手段に時系列に格納される。
【００２０】
また、前記スピーカ部１５は、音声サービスとしての音声案内を行うためのものであり、ボリューム抵抗を備え、ＩＣチップ部１４の演算手段からの指示によって前記ボリューム抵抗の抵抗値を変化させることによって、出力する音声案内用の音声の音量を調節する。なお、利用者が音声案内を必要とするか否かに関する音声サービス情報としての音声案内情報は、前記ＩＣチップ部１４の記憶手段に格納される。
【００２１】
さらに、前記バッテリ部１７は、充電式の蓄電手段であり、預貯金通帳１１に埋め込まれたコイルから成る充電部としての充電用コイル部２０に接続されている。ここで、該充電用コイル部２０は、自動取引装置が有する後述されるバッテリ充電ユニット２８の発生する高周波を受けて誘導電流を発生して、前記バッテリ部１７に電流を供給する。すなわち、前記バッテリ部１７は、前記預貯金通帳１１が自動取引装置に挿入されている時に充電用コイル部２０を介して前記自動取引装置によって充電される。
【００２２】
そして、前記ＩＣチップモジュール１３には、複数の圧力センサスイッチを含む圧力センサスイッチ部１８が接続されている。該圧力センサスイッチ部１８は、図１に示されるように、預貯金通帳１１の表表紙又は裏表紙に埋め込まれたフィルム状の年月日順再生スイッチ１８ａ、大音量再生スイッチ１８ｂ、入金再生スイッチ１８ｃ、出金再生スイッチ１８ｄ、残高再生スイッチ１８ｅ、案内再生スイッチ１８ｆ等の圧力センサスイッチとしての再生スイッチを備える。該再生スイッチは紙又は樹脂によって前記表表紙又は裏表紙に挟み込まれ、突起を備えるものである。そして、前記再生スイッチのそれぞれは手によって押圧されるとオンになり、前記ＩＣチップモジュール１３はどの再生スイッチがオンになったかを検出することができるように接続されている。
【００２３】
ここで、前記各種再生スイッチは、突起としてのエンボス１９ａ〜１９ｆを、それぞれ、備えているので、預貯金通帳１１の表表紙又は裏表紙に埋め込まれていても、該表表紙又は裏表紙を手で触れることによって知覚することができる。そのため、前記利用者が視覚に障害を有する者や老人のように視力の弱い者であっても、預貯金通帳１１の表表紙又は裏表紙を手で触れることによって、前記各種再生スイッチの存在を認識することができる。さらに、図１に示されるように、それぞれのエンボス１９ａ〜１９ｆの突出する向き又は方向が相違することが望ましい。この場合、前記エンボス１９ａ〜１９ｆの突出する向き又は方向を手で触れて把握することによって、前記年月日順再生スイッチ１８ａ、大音量再生スイッチ１８ｂ、入金再生スイッチ１８ｃ、出金再生スイッチ１８ｄ、残高再生スイッチ１８ｅ、案内再生スイッチ１８ｆ等をそれぞれ識別することができる。
【００２４】
そして、前記ＩＣチップモジュール１３は押圧された前記再生スイッチの組合せに従った所定の順番で前記取引履歴情報の音声案内を行う。また、前記ＩＣチップモジュール１３は押圧された前記再生スイッチの組合せに従った所定の音量で前記取引履歴情報の音声案内を行うようになっている。
【００２５】
なお、磁気ストライプ１２に格納されている情報のすべてを前記ＩＣチップ部１４の記憶手段に格納して、磁気ストライプ１２を省略することもできる。
【００２６】
次に、自動取引装置について説明する。
【００２７】
図４は本発明の実施の形態における自動取引装置の構成を示すブロック図である。
【００２８】
本実施の形態において、自動取引装置は、銀行、信用金庫、郵便局、消費者金融会社等の金融機関の支店等に配設されたＣＤ、ＡＴＭ、通帳記帳機等の自動取引装置であり、前記金融機関の利用者が自分で操作して入金、出金、通帳記帳、残高照会、振込、振替、送金、定期性預金設定等の金融取引を行うための装置である。また、前記自動取引装置は、他の機能、例えば、チケット予約機能、商品購入申込機能、クレジットカードの与信確認機能、施設情報案内機能等を有するキオスク（ＫＩＯＳＫ）端末のような多機能端末であってもよい。
【００２９】
そして、一般に、前記自動取引装置は、キーボード、タッチパネル、マウス等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段等を備える利用者操作部を有する。なお、該利用者操作部は、スピーカ等の音声出力手段を備え、利用者に対して音声案内を行うことができる。さらに、前記利用者操作部は、利用者が自動取引装置に接近又は接触したことを検知する検知手段を備え、前記利用者が自動取引装置に接近又は接触すると、自動的に預貯金通帳１１の取扱に関する音声案内を行うものであることが望ましい。
【００３０】
また、前記自動取引装置は、キャッシュカード等のカードを取り扱うカード取扱部を有する。ここで、前記カードは、金融機関が利用者に対して発行した入金、出金、振込、残高照会等の金融取引を行うためのカードであり、利用者の氏名、口座番号、暗証番号等の情報を格納する磁気ストライプを備える。なお、前記情報を格納する部材としては、前記磁気ストライプに代えて、カードに埋め込まれたＩＣであってもよい。さらに、前記カード取扱部は取引明細票を発行する機能を備える。該取引明細票は、入金、出金、通帳記帳、残高照会、振込、振替、送金、定期性預金設定等の利用者が行った金融取引に関する情報が印刷される紙片であり、口座番号、金融取引の種類、取引金額等が印刷される。
【００３１】
また、前記自動取引装置は、預貯金通帳１１に記帳する通帳記帳部を有する。ここで、前記通帳記帳部は、預貯金通帳１１が挿入される通帳スロットを備え、該通帳スロット内には、預貯金通帳１１を搬送する搬送装置、預貯金通帳１１に前記金融取引の記録を印刷する後述される印字ヘッド２５、預貯金通帳１１の磁気ストライプ１２に格納された情報の読取、上書、消去等を行うための記録ヘッド等が配設される。そして、前記自動取引装置は、紙幣を取り扱う紙幣入出金部、及び、硬貨を取り扱う硬貨入出金部を有する。また、前記自動取引装置は、ＣＰＵ、ＭＰＵ等の演算手段、半導体メモリ、磁気ディスク等の記憶手段、入力手段、通信手段等を備えるコンピュータとしての上位装置に接続される。該上位装置は、前記金融機関の勘定系のホストコンピュータとして機能する。前記上位装置は、金融機関の本部等に配設され、有線又は無線の専用通信回線網、公衆通信回線網、ＬＡＮ（Ｌｏｃａｌ  Ａｒｅａ  Ｎｅｔｗｏｒｋ）、ＷＡＮ（ＷｉｄｅＡｒｅａ  Ｎｅｔｗｏｒｋ）、インターネット等のネットワークを介して、各支店等に配設された自動取引装置と通信可能に接続され、該自動取引装置と勘定取引通信を行うことによって、利用者が前記自動取引装置を操作して行った自己の口座を使用した金融取引を処理する。また、前記上位装置は、利用者の口座に関する取引履歴情報を記憶手段に格納し、前記自動取引装置は前記取引履歴情報を上位装置から取得する。
【００３２】
ここで、前記自動取引装置は、図４に示されるように、ＣＰＵ、ＭＰＵ等の演算手段、メモリから成る記憶手段等を備え、自動取引装置全体の動作を制御するマスタＣＰＵ部２１、及び、前記上位装置との勘定取引通信を行うための通信インターフェイスとしての上位Ｉ／Ｆ部２９を有する。また、前記自動取引装置は、前記通帳記帳部、紙幣入出金部、硬貨入出金部等の各部における機械装置としてメカ２３の動作を制御するメカ制御部２２、前記通帳記帳部における印字ヘッド２５の動作を制御する印字制御部２４、及び、前記通帳記帳部、紙幣入出金部、硬貨入出金部等の各部におけるスキャナ等の光学センサ２７の動作を制御する光学系制御部２６を有する。
【００３３】
さらに、前記自動取引装置は、預貯金通帳１１に埋め込まれたＩＣチップモジュール１３のバッテリ部１７を充電するためのバッテリ充電ユニット２８を有する。該バッテリ充電ユニット２８は高周波を発生して、前記預貯金通帳１１に埋め込まれた充電用コイル部２０に誘導電流を発生させて前記バッテリ部１７に電流を供給する。これにより、前記バッテリ充電ユニット２８は、非接触状態でバッテリ部１７を充電することができる。
【００３４】
また、前記自動取引装置は、前記ＩＣチップモジュール１３と無線通信を行うためのＩＣチップリーダ／ライタ部３１を有する。該ＩＣチップリーダ／ライタ部３１は図示されないアンテナを備え、前記ＩＣチップモジュール１３のアンテナ部１６との間で無線によってデータ通信を行う。そして、前記ＩＣチップリーダ／ライタ部３１は、ＩＣチップ部１４の記憶手段に格納された情報を読み取るとともに、前記記憶手段に前記利用者が行った金融取引の結果や履歴を書き込んで、前記記憶手段に格納されている情報を更新する。これにより、前述されたように、利用者が行った金融取引毎に、該金融取引に関する年月日、適用、残高、取引金額等が前記記憶手段に時系列に格納される。
【００３５】
次に、前記構成の預貯金通帳１１及び該預貯金通帳１１を取り扱う自動取引装置の動作について説明する。
【００３６】
図５は本発明の実施の形態における自動取引装置を操作して行う金融取引の動作を示すフローチャート、図６は本発明の実施の形態における預貯金通帳に音声案内を行わせる動作を示すフローチャート、図７は本発明の実施の形態における預貯金通帳の音声案内の音量を調節する動作を示すフローチャートである。
【００３７】
まず、利用者が自動取引装置に接近又は接触すると、該自動取引装置の利用者操作部に配設されたスピーカ等の音声出力手段から音声が出力され、音声案内が開始される。この場合、音声案内は、預貯金通帳１１において取引履歴情報が印刷される頁を開いて、通帳記帳部の通帳スロットに前記預貯金通帳１１を挿入する旨の指示である。すなわち、所定の頁を開いた預貯金通帳１１を挿入するように音声案内が行われる。
【００３８】
そして、前記利用者は、音声案内に従い、ＩＣチップモジュール１３が埋め込まれた預貯金通帳１１を自動取引装置における通帳記帳部の通帳スロットに挿入する。そして、前記預貯金通帳１１が挿入されると該預貯金通帳１１のバッテリ部１７の充電が自動的に開始される。この場合、前記自動取引装置のバッテリ充電ユニット２８は高周波を発生して、前記預貯金通帳１１に埋め込まれた充電用コイル部２０に誘導電流を発生させて前記バッテリ部１７に電流を供給する。
【００３９】
また、マスタＣＰＵ部２１はＩＣチップリーダ／ライタ部３１を介してＩＣチップモジュール１３のアンテナ部１６との間で無線によってデータ通信を行い、ＩＣチップ部１４の記憶手段に格納された口座管理情報としての暗証番号を読み取る。そして、前記利用者が自動取引装置の利用者操作部を操作して暗証番号を入力すると、前記マスタＣＰＵ部２１は、入力された暗証番号をＩＣチップ部１４の記憶手段から読み取った暗証番号と比較して、前記入力された暗証番号が正しいか否かを判断する。
【００４０】
そして、前記入力された暗証番号が正しい場合、マスタＣＰＵ部２１はＩＣチップ部１４の記憶手段に格納された口座管理情報としての口座番号を読み取る。なお、前記入力された暗証番号が正しくない場合、マスタＣＰＵ部２１は正しい暗証番号が入力されるまで待機する。
【００４１】
続いて、マスタＣＰＵ部２１は、上位Ｉ／Ｆ部２９を介して金融機関の勘定系のホストコンピュータとして機能する上位装置と通信を行い、前記口座番号によって特定される前記利用者の口座に関する取引履歴情報を確認する。そして、前記マスタＣＰＵ部２１は、前記上位装置に格納されている取引履歴情報が更新されているか否かを判断する。そして、更新されている場合、前記マスタＣＰＵ部２１は、更新された取引履歴情報を前記上位装置から取得する。続いて、前記マスタＣＰＵ部２１は、ＩＣチップモジュール１３のＩＣチップ部１４にアクセスし、該ＩＣチップ部１４の記憶手段に既に格納されている取引履歴情報を前記上位装置から取得した取引履歴情報によって更新する。なお、前記上位装置に格納されている取引履歴情報が更新されていない場合、前記ＩＣチップ部１４の記憶手段に格納されている取引履歴情報は更新されない。
【００４２】
続いて、マスタＣＰＵ部２１は、ＩＣチップモジュール１３のＩＣチップ部１４にアクセスし、該ＩＣチップ部１４の記憶手段に既に格納されている音声案内情報を取得する。続いて、通帳記帳部の印字ヘッド２５は前記預貯金通帳１１に取引履歴情報の更新された部分を記帳する。そして、金融取引が終了すると、前記通帳記帳部は預貯金通帳１１を通帳スロットから排出する。これにより、前記利用者は、記帳された預貯金通帳１１を取得する。
【００４３】
次に、前記利用者が取引履歴情報を音声案内によって確認する動作について説明する。まず、音声の音量を調整しない場合の動作について説明する。
【００４４】
この場合、前記利用者は、取引履歴情報を確認するために、預貯金通帳１１の表表紙又は裏表紙に埋め込まれている圧力センサスイッチ部１８の年月日順再生スイッチ１８ａ、大音量再生スイッチ１８ｂ、入金再生スイッチ１８ｃ、出金再生スイッチ１８ｄ、残高再生スイッチ１８ｅ、案内再生スイッチ１８ｆ等の再生スイッチを押圧する。そして、ＩＣチップモジュール１３はどの再生スイッチがオンになったかを検出して、ＩＣチップ部１４の記憶手段に取引履歴情報が格納されているか否か、すなわち、取引履歴情報があるか否かを判断する。
【００４５】
そして、取引履歴情報がある場合、ＩＣチップモジュール１３は、前記記憶手段にアクセスしてオンになった再生スイッチに該当するキーワードを検索する。この場合、オンになった再生スイッチに応じて、記憶手段内に格納されているキーワードを取引履歴順に検索する。そして、該当するキーワード、すなわち、該キーワードを含む取引履歴情報としての検索情報があるか否かを判断する。ここで、検索情報がある場合、ＩＣチップモジュール１３は、スピーカ部１５によって検索情報の音声案内を行わせる。
【００４６】
これにより、例えば、年月日が新しい順番、入金毎、出金毎、又は、取引先毎に取引履歴情報が音声によって案内される。そのため、前記利用者は知りたい取引履歴情報を直ちに音声として確認することができる。
【００４７】
なお、検索情報がない場合、ＩＣチップモジュール１３は、音声案内を行うことなく処理を終了する。また、取引履歴情報がない場合も、処理を終了する。
【００４８】
次に、前記利用者が音声の音量を調整する場合の動作について説明する。
【００４９】
この場合、前記利用者は、取引履歴情報を確認するために、預貯金通帳１１の表表紙又は裏表紙に埋め込まれている圧力センサスイッチ部１８の再生スイッチを押圧する。そして、ＩＣチップモジュール１３はどの再生スイッチがオンになったかを検出して、スピーカ部１５によって該当する検索情報の音声案内を行わせる。
【００５０】
続いて、前記利用者は音声案内を聞いて音量を大きくするか否かを判断する。そして、大きくすると判断した場合、前記利用者は大音量再生スイッチ１８ｂを押圧してスピーカ部１５のボリューム抵抗を調節する。そして、前記ＩＣチップモジュール１３はスピーカ部１５によって前記検索情報の音声案内を行う。続いて、前記利用者は音声案内を聞いて音量は丁度よいか否かを判断する。そして、前記利用者は、音量が丁度よい場合には処理を終了し、音量が丁度よくない場合には再び前記圧力センサスイッチ部１８の大音量再生スイッチ１８ｂを押圧する。また、音声案内を聞いて音量を大きくしないと判断した場合、前記利用者は大音量再生スイッチ１８ｂ以外の再生スイッチを押圧する。
【００５１】
これにより、前記利用者は、音声案内の音量を調節して、聞きやすい音量にすることができる。
【００５２】
次に、フローチャートについて説明する。まず、自動取引装置を操作して行う金融取引の動作を示すフローチャートについて説明する。
ステップＳ１  自動取引装置は、所定の頁を開いて預貯金通帳１１を挿入するように音声案内を行う。
ステップＳ２  利用者は、自動取引装置に預貯金通帳１１を挿入する。
ステップＳ３  自動取引装置は預貯金通帳１１に埋め込まれたＩＣチップモジュール１３のバッテリ部１７を充電する。
ステップＳ４  利用者は暗証番号を入力する。
ステップＳ５  自動取引装置のマスタＣＰＵ部２１は暗証番号が正しいか否かを判断する。暗証番号が正しい場合はステップＳ６に進み、暗証番号が正しくない場合はステップＳ４に戻る。
ステップＳ６  マスタＣＰＵ部２１は口座番号を読み取る。
ステップＳ７  マスタＣＰＵ部２１は上位装置と通信し、取引履歴情報を確認する。
ステップＳ８  マスタＣＰＵ部２１は取引履歴情報が更新されているか否かを判断する。取引履歴情報が更新されている場合はステップＳ９に進み、取引履歴情報が更新されていない場合はステップＳ１１に進む。
ステップＳ９  マスタＣＰＵ部２１は更新された取引履歴情報を取得する。
ステップＳ１０  マスタＣＰＵ部２１はＩＣチップモジュール１３の記憶手段にアクセスし、取引履歴情報を更新する。
ステップＳ１１  マスタＣＰＵ部２１はＩＣチップモジュール１３の記憶手段にアクセスし、音声案内情報を取得する。
ステップＳ１２  自動取引装置は預貯金通帳１１に記帳する。
ステップＳ１３  自動取引装置は預貯金通帳１１を排出し、処理を終了する。
【００５３】
次に、預貯金通帳に音声案内を行わせる動作を示すフローチャートについて説明する。
ステップＳ２１  利用者は預貯金通帳１１の記帳を確認する。
ステップＳ２２  利用者は再生スイッチを押圧する。
ステップＳ２３  ＩＣチップモジュール１３は押圧された再生スイッチのオンを検出する。
ステップＳ２４  ＩＣチップモジュール１３は取引履歴情報があるか否かを判断する。取引履歴情報がある場合はステップＳ２５に進み、取引履歴情報がない場合は処理を終了する。
ステップＳ２５  ＩＣチップモジュール１３は再生スイッチに応じて記憶手段内の取引履歴順にキーワードを検索する。
ステップＳ２６  ＩＣチップモジュール１３は検索情報があるか否かを判断する。検索情報がある場合はステップＳ２７に進み、検索情報がない場合は処理を終了する。
ステップＳ２７  ＩＣチップモジュール１３はスピーカ部１５によって音声案内を行いＳ２４に戻る。
【００５４】
次に、預貯金通帳の音声案内の音量を調節する動作を示すフローチャートについて説明する。
ステップＳ３１  利用者は預貯金通帳１１の記帳を確認する。
ステップＳ３２  利用者は再生スイッチを押圧する。
ステップＳ３３  ＩＣチップモジュール１３は押圧された再生スイッチのオンを検出する。
ステップＳ３４  ＩＣチップモジュール１３はスピーカ部１５によって音声案内を行う。
ステップＳ３５  利用者は音量を大きくするか否かを判断する。音量を大きくする場合はステップＳ３６に進み、音量を大きくしない場合はステップＳ３２に戻る。
ステップＳ３６  利用者はボリューム抵抗を調節する。
ステップＳ３７  ＩＣチップモジュール１３はスピーカ部１５によって音声案内を行う。
ステップＳ３８  利用者は音量が丁度よいか否かを判断する。音量が丁度よい場合は処理を終了し、音量が丁度よくない場合はステップＳ３２に戻る。
【００５５】
このように、本実施の形態においては、預貯金通帳１１の表表紙又は裏表紙に、ＩＣチップ１４、スピーカ部１５、アンテナ部１６、バッテリ部１７等を内蔵した偽造が困難なＩＣチップモジュール１３、及び、各種再生スイッチを備える圧力センサスイッチ部１８が埋め込まれている。そして、前記ＩＣチップ１４内に取引履歴情報が格納され、利用者が圧力センサスイッチとしての再生スイッチを押圧することによって、スピーカ部１５によって音声が出力され、取引履歴情報の音声案内が行われる。そのため、利用者が視力の弱い者であっても、預貯金通帳１１に記帳された取引履歴情報を容易に確認することができる。
【００５６】
また、各種再生スイッチは、突起としてのエンボス１９ａ〜１９ｆをそれぞれ備えているので、預貯金通帳１１の表表紙又は裏表紙に埋め込まれていても、該表表紙又は裏表紙を手で触れることによって知覚することができる。そのため、前記利用者が視覚に障害を有する者や老人のように視力の弱い者であっても、預貯金通帳１１の表表紙又は裏表紙を手で触れることによって、前記各種再生スイッチの存在を認識し、特定することができる。
【００５７】
さらに、預貯金通帳１１に埋め込まれたＩＣチップモジュール１３のバッテリ部１７は、自動取引装置に預貯金通帳１１が挿入される度に、充電用コイル部２０を介して自動取引装置のバッテリ充電ユニット２８によって充電されるので、前記バッテリ部１７の寿命を長くすることができる。
【００５８】
さらに、前記各種再生スイッチの組合せによって、音声案内の順番を変えることができるので、利用者は所望の順で音声案内を行わせることができる。
【００５９】
さらに、前記各種再生スイッチの組合せによって、スピーカ部１５に内蔵されたボリューム抵抗を調節して、音声案内の音量を調節することができるので、利用者は最適な音量で音声サービスを受けることができる。
【００６０】
なお、本発明は前記実施の形態に限定されるものではなく、本発明の趣旨に基づいて種々変形させることが可能であり、それらを本発明の範囲から排除するものではない。
【００６１】
【発明の効果】
以上詳細に説明したように、本発明によれば、視力の弱い利用者であっても通帳に記帳された金融取引の結果や履歴を容易に確認することができる。
【図面の簡単な説明】
【図１】本発明の実施の形態における預貯金通帳の概略図である。
【図２】本発明の実施の形態における預貯金通帳の取引履歴結果を示す図である。
【図３】本発明の実施の形態におけるＩＣチップの構成を示すブロック図である。
【図４】本発明の実施の形態における自動取引装置の構成を示すブロック図である。
【図５】本発明の実施の形態における自動取引装置を操作して行う金融取引の動作を示すフローチャートである。
【図６】本発明の実施の形態における預貯金通帳に音声案内を行わせる動作を示すフローチャートである。
【図７】本発明の実施の形態における預貯金通帳の音声案内の音量を調節する動作を示すフローチャートである。
【符号の説明】
１１    預貯金通帳
１３    ＩＣチップモジュール
１４    ＩＣチップ部
１５    スピーカ部
１６    アンテナ部
１７    バッテリ部
１８ａ    年月日順再生スイッチ
１８ｂ    大音量再生スイッチ
１８ｃ    入金再生スイッチ
１８ｄ    出金再生スイッチ
１８ｅ    残高再生スイッチ
１８ｆ    案内再生スイッチ
１９ａ、１９ｂ、１９ｃ、１９ｄ、１９ｅ、１９ｆ    エンボス
２０    充電用コイル部
【図１】
2004185333.tif 000003
【図２】
2004185333.tif 000004
【図３】
2004185333.tif 000005
【図４】
2004185333.tif 000006
【図５】
2004185333.tif 000007
【図６】
2004185333.tif 000008
【図７】
2004185333.tif 000009